【事件の表示】
　特願２００５−３４０８８９「有機発光表示装置」拒絶査定不服審判事件〔平成１８年１１月　９日出願公開、特開２００６−３０９１３３〕について、次のとおり審決する。
【結　論】
　本件審判の請求は、成り立たない。
【理　由】
１．手続の経緯 
　 
　本件審判事件の手続の概要は、以下のとおりである。 
　 
　平成１７年１１月２５日　特許出願（パリ条約による優先権主張２００５年４月２８日、大韓民国）
　平成２０年１１月１７日　拒絶理由通知（同年１１月２５日発送） 
　平成２１年　２月２４日　意見書・手続補正書 
　平成２１年１０月２７日　拒絶査定（同年１１月４日送達）
　平成２２年　３月　２日　本件審判請求・手続補正書
　平成２３年　２月　１日　審尋（同年２月８日発送）
　平成２３年　５月　９日　回答書
　平成２３年　８月１１日　拒絶理由通知（以下、「当審での拒絶理由」という。同年８月１６日発送）
　平成２３年１１月１５日　意見書・手続補正書
　
２．当審の拒絶理由
　
　当審での拒絶理由の概要は、
　
　この出願の請求項１〜１２に係る発明は、その優先日前に日本国内又は外国において頒布された特開２００５−５５７２６号公報（以下、「引用刊行物」という。）に記載された発明に基づいて、その優先日前にその発明の属する技術の分野における通常の知識を有する者が容易に発明をすることができたものであるから、特許法第２９条第２項の規定により特許を受けることができない。
　
というものである。
　 
３．本願発明
　
　本願の請求項１に係る発明（以下「本願発明」という。）は、平成２３年１１月１５日付け手続補正によって補正された明細書、特許請求の範囲及び図面の記載からみて、請求項１に記載された事項により特定される以下のとおりのものと認める。 
「データ線にデータ信号を供給するデータ駆動部と；
　走査線に走査信号を順次供給し，発光制御線に発光制御信号を順次供給する走査駆動部と；
　前記データ信号，前記走査信号及び前記発光制御信号の供給を受けて映像を表現する複数の画素を具備する画素部と；
　前記画素部の輝度を制御する輝度制御部と；
を備え，
　前記輝度制御部は，
　一フレーム分のデータの大きさによって第１発光制御信号の幅を生成する第１輝度制限部と；
　
周辺光の強さによって
　前記第２輝度制限部から前記第２発光制御信号の幅の伝達を受けて輝度制御信号を生成し，前記輝度制御信号を前記走査駆動部に伝送する輝度制御信号生成部と；
を有し，
　前記第１輝度制限部は，
　一フレーム分のデータを合算して合算データを生成し，前記合算データの最上位ビットを含む少なくとも二つのビット値を制御データとして伝送するデータ合算部と；
　前記制御データの値に対応する前記第１発光制御信号の幅を保存する第１ルックアップテーブルと；
　前記データ合算部から伝送された制御データの値に対応する前記第１発光制御信号の幅を前記第１ルックアップテーブルから抽出し，前記第２輝度制限部に伝送する第１制御部と；
を有し，
　前記第２輝度制限部は，
　前記周辺光の強さを感知してあらかじめ設定された少なくとも二つのモード値の中でいずれか一つを伝送するフォトセンサーと；
　前記モード値に対応する変動値を保存する第２ルックアップテーブルと；
　前記フォトセンサーから伝送されたモード値に対応する前記変動値を前記第２ルックアップテーブルから抽出し，前記第１発光制御信号の幅と前記変動値を利用して前記第２発光制御信号の幅を生成して前記輝度制御信号生成部に伝送する第２制御部と；
を有し，
　前記第２ルックアップテーブルは，前記変動値として１以下の小数値を保存し，
　前記第２制御部は，前記第１発光制御信号の幅と前記変動値を乗算して前記第２発光制御信号の幅を生成することを特徴とする，有機発光表示装置。」（なお、「前記周辺光の強さによって」なる記載があるが、該記載以前に「周辺光の強さ」と記載されていないので、該記載は「周辺光の強さによって」の誤記と認める。下線部は、修正箇所を明示するために付した。）
　
４．引用発明
（１）引用刊行物の記載事項
　当審での拒絶理由に引用され、本願の優先日前である平成１７年３月３日に頒布された刊行物である特開２００５−５５７２６号公報（以下「引用刊行物」という。）には、「ＥＬ表示装置」（発明の名称）の発明に関して、以下の事項が記載されている。 
 　 
＜記載事項１＞ 
「【００４８】
  本発明のＥＬ表示装置の画素構造は、具体的には図１に示すように単位画素が最低４つからなる複数のトランジスタ１１ならびにＥＬ素子により形成される。画素電極はソース信号線と重なるように構成する。つまり、ソース信号線１８上に絶縁膜あるいはアクリル材料からなる平坦化膜を形成して絶縁し、この絶縁膜上に画素電極１０５を形成する。このようにソース信号線１８上の少なくとも１部に画素電極を重ねる構成をハイアパーチャ（ＨＡ）構造と呼ぶ。不要な干渉光などが低減し、良好な発光状態が期待できる。
【００４９】
  ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。また、トランジスタ１１ａのゲートとドレイン間を短絡するようにトランジスタ１１ｂがゲート信号線１７ａアクティブ（ＯＮ電圧を印加）となることにより開くと共に、トランジスタ１１ａのゲートとソース間に接続されたコンデンサ（キャパシタ、蓄積容量、付加容量）１９にトランジスタ１１ａのゲート電圧（あるいはドレイン電圧）を記憶する（図３（ａ）を参照のこと）。
・・・
【００５１】
  ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流すように動作する（図３（ｂ）を参照のこと）。
【００５２】
  この回路は１画素内に４つのトランジスタ１１を有しており、トランジスタ１１ａ のゲートはトランジスタ１１ｂのソースに接続されている。また、トランジスタ１１ｂおよびトランジスタ１１ｃのゲートはゲート信号線１７ａに接続されている。トランジスタ１１ｂのドレインはトランジスタ１１ｃのソースならびにトランジスタ１１ｄのソースに接続され、トランジスタ１１ｃのドレインはソース信号線１８に接続されている。トランジスタ１１ｄのゲートはゲート信号線１７ｂに接続され、トランジスタ１１ｄのドレインはＥＬ素子１５のアノード電極に接続されている。
・・・
【００５５】
  以下、さらに本発明の理解を容易にするために、本発明のＥＬ素子構成について図３を用いて説明する。本発明のＥＬ素子構成は２つのタイミングにより制御される。第１のタイミングは必要な電流値を記憶させるタイミングである。このタイミングでトランジスタ１１ｂならびにトランジスタ１１ｃがＯＮすることにより、等価回路として図３（ａ）となる。ここで、信号線より所定の電流Ｉｗが書き込まれる。これによりトランジスタ１１ａはゲートとドレインが接続された状態となり、このトランジスタ１１ａとトランジスタ１１ｃを通じて電流Ｉｗが流れる。したがって、トランジスタ１１ａのゲート−ソースの電圧はＩ１が流れるような電圧となる。
【００５６】
  第２のタイミングはトランジスタ１１ａとトランジスタ１１ｃが閉じ、トランジスタ１１ｄが開くタイミングであり、そのときの等価回路は図３（ｂ）となる。トランジスタ１１ａのソース−ゲート間の電圧は保持されたままとなる。この場合、トランジスタ１１ａは常に飽和領域で動作するため、Ｉｗの電流は一定となる。
【００５７】
  このように動作させると、図５に図示するようになる。つまり、図５（ａ）の５１ａは表示画面５０における、ある時刻での電流プログラムされている画素（行）（書き込み画素行）を示している。この画素（行）５１ａは、図５（ｂ）に図示するように非点灯（非表示画素（行））とする。他の画素（行）は表示画素（行）５３とする（表示領域５３の画素１６のＥＬ素子１５には電流が流れ、ＥＬ素子１５が発光している）。
【００５８】
  図１の画素構成の場合、図３（ａ）に示すように、電流プログラム時は、プログラム電流Ｉｗがソース信号線１８に流れる。この電流Ｉｗがトランジスタ１１ａを流れ、Ｉｗを流す電流が保持されるように、コンデンサ１９に電圧設定（プログラム）される。このとき、トランジスタ１１ｄはオープン状態（オフ状態）である。
【００５９】
  次に、ＥＬ素子１５に電流を流す期間は図３（ｂ）のように、トランジスタ１１ｃ、１１ｂがオフし、トランジスタ１１ｄが動作する。つまり、ゲート信号線１７ａにオフ電圧（Ｖｇｈ）が印加され、トランジスタ１１ｂ、１１ｃがオフする。一方、ゲート信号線１７ｂにオン電圧（Ｖｇｌ）が印加され、トランジスタ１１ｄがオンする。
【００６０】
  このタイミングチャートを図４に図示する。なお、図４などにおいて、括弧内の添え字（たとえば、（１）など）は画素行の番号を示している。つまり、ゲート信号線１７ａ（１）とは、画素行（１）のゲート信号線１７ａを示している。また、図４の上段の＊Ｈ（「＊」には任意の記号、数値が当てはまり、水平走査線の番号を示す）とは、水平走査期間を示している。つまり、１Ｈとは第１番目の水平走査期間である。なお、以上の事項は、説明を容易にするためであって、限定（１Ｈの番号、１Ｈ周期、画素行番号の順番など）するものではない。
【００６１】
  図４でわかるように、各選択された画素行（選択期間は、１Ｈとしている）において、ゲート信号線１７ａにオン電圧が印加されている時には、ゲート信号線１７ｂにはオフ電圧が印加されている。また、この期間は、ＥＬ素子１５には電流が流れていない（非点灯状態）。選択されていない画素行において、ゲート信号線１７ａにオフ電圧が印加され、ゲート信号線１７ｂにはオン電圧が印加されている。また、この期間は、ＥＬ素子１５に電流が流れている（点灯状態）。
・・・
【００６４】
  このように構成すれば本発明の動作タイミングとしては信号線からの書きこみ経路がオフになる。すなわち所定の電流が記憶される際に、電流の流れる経路に分岐があると正確な電流値がトランジスタ１１ａのソース（Ｓ）−ゲート（Ｇ）間容量（コンデンサ）に記憶されない。トランジスタ１１ｃとトランジスタ１１ｄを異なった導電形にすることにより、お互いの閾値を制御することによって走査線の切り替わりのタイミングで必ずトランジスタ１１ｃがオフしたのちに、トランジスタ１１ｄがオンすることが可能になる。
【００６５】
  ・・・このようにトランジスタ１１ｅを加えた構成とすることにより、トランジスタ１１ｃを介してプログラムした電流がより精度よくＥＬ素子１５に流すことができるようになる。」
　
＜記載事項２＞
「【０１２１】
  ゲートドライバ１２はゲート信号線１７ａ用のシフトレジスタ回路６１ａと、ゲート信号線１７ｂ用のシフトレジスタ回路６１ｂとを内蔵する。各シフトレジスタ回路６１は正相と負相のクロック信号（ＣＬＫｘＰ、ＣＬＫｘＮ）、スタートパルス（ＳＴｘ）で制御される（図６を参照のこと）。
・・・
【０１２７】
  図８ではゲートドライバ１２の制御信号はコントロールＩＣで発生させ、ソースドライバ１４で、レベルシフトを行った後、ゲートドライバ１２に印加している。ソースドライバ１４の駆動電圧は４〜８（Ｖ）であるから、コントロールＩＣ８１から出力された３．３（Ｖ）振幅の制御信号を、ゲートドライバ１２が受け取れる５（Ｖ）振幅に変換することができる。」
 　 
 ＜記載事項３＞ 
「【０５３０】
  図１５、図１８、図２１などでは、ゲート信号線１７ｂ（ＥＬ側選択信号線）は１水平走査期間（１Ｈ）を単位として、オン電圧（Ｖｇｌ）、オフ電圧（Ｖｇｈ）を印加するとして説明をした。しかし、ＥＬ素子１５の発光量は、流す電流が定電流の時、流す時間に比例する。したがって、流す時間は１Ｈ単位に限定する必要はない。
【０５３１】
  アウトプットイネーブル（ＯＥＶ）の概念を導入するため、以下のように規定する。ＯＥＶ制御を行うことにより、１水平走査期間（１Ｈ）以内のゲート信号線１７ａ、１７ｂにオンオフ電圧（Ｖｇｌ電圧、Ｖｇｈ電圧）を画素１６に印加できるようになる。
【０５３２】
  説明を容易にするため、本発明の表示パネルでは、電流プログラムを行う画素行を選択するゲート信号線１７ａ（図１の場合）であるとして説明をする。また、ゲート信号線１７ａを制御するゲートドライバ回路１２ａの出力をＷＲ側選択信号線と呼ぶ。ＥＬ素子１５を選択するゲート信号線１７ｂ（図１の場合）であるとして説明をする。また、ゲート信号線１７ｂを制御するゲートドライバ回路１２ｂの出力をＥＬ側選択信号線と呼ぶ。
【０５３３】
  ゲートドライバ回路１２は、スタートパルスが入力され、入力されたスタートパルスが保持データとして順次シフトレジスタ内をシフトする。ゲートドライバ回路１２ａのシフトレジスタ内の保持データにより、ＷＲ側選択信号線に出力される電圧がオン電圧（Ｖｇｌ）かオフ電圧（Ｖｇｈ）かが決定される。さらに、ゲートドライバ回路１２ａの出力段には、強制的に出力をオフにするＯＥＶ１回路（図示せず）が形成または配置されている。ＯＥＶ１回路がＬレベルの時には、ゲートドライバ回路１２ａの出力であるＷＲ側選択信号をそのままゲート信号線１７ａに出力する。以上の関係をロジック的に図示すれば、図２２４（ａ）の関係となる（ＯＲ回路である）。なお、オン電圧をロジックレベルのＬ（０）とし、オフ電圧をロジック電圧のＨ（１）としている。
【０５３４】
  つまり、ゲートドライバ回路１２ａがオフ電圧を出力している場合は、ゲート信号線１７ａにオフ電圧が印加される。ゲートドライバ回路１２ａがオン電圧（ロジックではＬレベル）を出力している場合は、ＯＲ回路でＯＥＶ１回路の出力とＯＲが取られてゲート信号線１７ａに出力される。つまり、ＯＥＶ１回路は、Ｈレベルの時、ゲートドライバ信号線１７ａに出力する電圧をオフ電圧（Ｖｇｈ）にする（図１７６のタイミングチャートの例を参照のこと）。
【０５３５】
  ゲートドライバ回路１２ｂのシフトレジスタ内の保持データにより、ゲート信号線１７ｂ（ＥＬ側選択信号線）に出力される電圧がオン電圧（Ｖｇｌ）かオフ電圧（Ｖｇｈ）かが決定される。さらに、ゲートドライバ回路１２ｂの出力段には、強制的に出力をオフにするＯＥＶ２回路（図示せず）が形成または配置されている。ＯＥＶ２回路がＬレベルの時には、ゲートドライバ回路１２ｂの出力をそのままゲート信号線１７ｂに出力する。以上の関係をロジック的に図示すれば、図１７６（ａ）の関係となる。なお、オン電圧をロジックレベルのＬ（０）とし、オフ電圧をロジック電圧のＨ（１）としている。
【０５３６】
  つまり、ゲートドライバ回路１２ｂがオフ電圧を出力している場合（ＥＬ側選択信号はオフ電圧）は、ゲート信号線１７ｂにオフ電圧が印加される。ゲートドライバ回路１２ｂがオン電圧（ロジックではＬレベル）を出力している場合は、ＯＲ回路でＯＥＶ２回路の出力とＯＲが取られてゲート信号線１７ｂに出力される。つまり、ＯＥＶ２回路は、入力信号がＨレベルの時、ゲートドライバ信号線１７ｂに出力する電圧をオフ電圧（Ｖｇｈ）にする。したがって、ＯＥＶ２回路のより（当審注：「ＯＥＶ２回路により」の誤記と認める。）ＥＬ側選択信号がオン電圧出力状態であっても、強制的にゲート信号線１７ｂに出力される信号はオフ電圧（Ｖｇｈ）になる。なお、ＯＥＶ２回路の入力がＬであれば、ＥＬ側選択信号がスルーでゲート信号線１７ｂに出力される（図１７６のタイミングチャートの例を参照のこと）。
【０５３７】
  なお、ＯＥＶ２の制御により、画面輝度を調整する。画面輝度により変化できる明るさの許容範囲がある。図１７５は許容変化（％）と画面輝度（ｎｔ）の関係を図示したものである。図１７５でわかるように、比較的暗い画像で許容変化量が小さい。したがって、ＯＥＶ２による制御あるいはＤｕｔｙ比制御による画面５０の輝度調整は、画面５０輝度を考慮して制御する。制御による許容変化は画面が明るい時よりも暗い時を短くする。
【０５３８】
  図１４０は、１／４Ｄｕｔｙ比駆動である。４Ｈ期間に１Ｈ期間の間、ゲート信号線１７ｂ（ＥＬ側選択信号線）にオン電圧が印加され、水平同期信号（ＨＤ）に同期してオン電圧が印加されている位置が走査される。したがって、オン時間は１Ｈ単位である。
【０５３９】
  しかし、本発明はこれに限定するものではなく、図１４３に図示するように１Ｈ未満（図１４３は１／２Ｈ）としてもよく、また、１Ｈ以下としてもよい。つまり、１Ｈ単位に限定されるものではなく、１Ｈ単位以外の発生も容易である。ゲートドライバ回路１２ｂ（ゲート信号線１７ｂを制御する回路である）の出力段に形成または配置されたＯＥＶ２回路を用いればよい。ＯＥＶ２回路は先に説明したＯＥＶ１回路と同様であるので説明を省略する。
・・・
【０５４６】
  ゲート信号線１７Ｂ（ＥＬ側選択信号線）にオン電圧を印加する期間を調整することにより、表示画面５０の輝度をリニアに調整することができる。これはＯＥＶ２回路を制御することにより容易に実現できる。たとえば、図１４５では、図１４５（ａ）よりも図１４５（ｂ）の方が表示輝度は低くなる。また、図１４５（ｂ）よりも図１４５（ｃ）の方が表示輝度は低くなる。」
　
＜記載事項４＞
「【１１５４】
  特に本発明のＥＬ表示パネルは電流駆動方式である。かつ特徴ある構成のより（当審注：「構成により」の誤記と認める。）画像表示制御が容易である。特徴ある画像表示制御方法は２つある。１つは、基準電流の制御である。もう１つはＤｕｔｙ比制御である。この基準電流制御と比制御（当審注：「Ｄｕｔｙ比制御」の誤記と認める。）を単独であるいは組み合わせることにより、ダイナミックレンジが広く、かつ高画質表示、高コントラストを実現できる。
・・・
【１１５７】
  図７８はＤｕｔｙ比制御方法である。図７８（ａ）は非表示領域５２を連続して挿入する方法である。動画表示に適する。また、図７８（ａ１）が最も画像が暗く、図７８（ａ４）が最も明るい。ゲート信号線１７ｂの制御で自由にＤｕｔｙ比を変更できる。図７８（ｃ）は非表示領域５２を多数に分割して挿入する方法である。特に静止画表示に適する。また、図７８（ｃ１）が最も画像が暗く、図７８（ｃ４）が最も明るい。ゲート信号線１７ｂの制御で自由にＤｕｔｙ比を変更できる。また、図７８（ｂ）は、図７８（ａ）と図７８（ｃ）との中間状態である。図７８（ｂ）も同様にゲート信号線１７ｂの制御で自由にＤｕｔｙ比を変更できる。
【１１５８】
  表示領域５３の分散は、表示パネルの画素行数が２２０本で、１／４Ｄｕｔｙであれば、２２０／４＝５５となるから、１から５５（１の明るさからその５５倍の明るさまで調整できる）。また、表示パネルの画素行が２２０本で、１／２Ｄｕｔｙであれば、２２０／２＝１１０となるから、１から１１０（１の明るさからその１１０倍の明るさまで調整できる）。したがって、画面輝度５０の明るさの調整レンジは非常に広い（画像表示のダイナミックレンジが広い）。また、いずれに明るさであっても、表現できる階調数を維持できると特徴がある。たとえば、６４階調表示であれば、白ラスターでの画面５０輝度が３００ｎｔであっても、３ｎｔであっても６４階調表示を実現できる。
【１１５９】
  なお、以前にも説明したが、Ｄｕｔｙは、ゲートドライバ１２ｂへのスタートパルスを制御することにより容易に変更できる。したがって、１／２Ｄｕｔｙ、１／４Ｄｕｔｙ、３／４Ｄｕｔｙ、３／８Ｄｕｔｙと多種多様なＤｕｔｙを容易に変更できる。
【１１６０】
  １水平走査期間（１Ｈ）単位のＤｕｔｙ比駆動は、水平同期信号に同期させてゲート信号線１７ｂのオンオフ信号を印加すればよい。さらに、１Ｈ単位以下でもＤｕｔｙ比制御することができる。図１４５、図１４６の駆動方法である。１Ｈ期間以内において、ＯＥＶ２制御を行うことにより、微小ステップの明るさ制御（Ｄｕｔｙ比制御）が可能である（図１０９とその説明も参照のこと。また、図１７５とその説明を参照のこと）。
・・・
【１１６７】
  以上のように、本発明の駆動方法および表示装置は、画素１６にＥＬ素子１５に流す電流値を記憶できる構成（図１ではコンデンサ１９が該当する）と、駆動用トランジスタ１１ａと発光素子（ＥＬ素子１５が例示される）との電流経路をオンオフできる構成（図１、図４３、図１１３、図１１４、図１１７などの画素構成が該当する）の表示パネルにあって、少なくとも表示画像の表示状態において図１９の表示状態が発生させる（当審注：「表示状態を発生させる」の誤記と認める。）（画像の輝度によっては、画面５０が表示領域５３（Ｄｕｔｙ１／１になってもよい）駆動方法である。かつ、Ｄｕｔｙ比駆動（少なくとも画面５０の一部が非表示領域５３となる駆動方法または駆動状態）が所定のＤｕｔｙ比以下では、１水平走査期間（１Ｈ期間）以内あるいは１Ｈ期間単位に限定されるＥＬ素子１５に流す電流を制御して、表示画面５０の輝度制御を行うものである。この制御はＯＥＶ２制御により実施する（ＯＥＶ２に関しては図１７５とその説明を参照のこと）。
・・・
【１１７１】
  本発明のＤｕｔｙ比制御駆動は、ＥＬ素子１５の点灯時間の制御であるから、Ｄｕｔｙ比に対する画面５０の明るさは、リニアの関係にある。したがって、画像の明るさ制御がきわめて容易であり、その信号処理回路もシンプルとなり、低コスト化を実現できる。図７７のようにＲＧＢの基準電流を調整し、ホワイトバランスをとる。Ｄｕｔｙ比制御では、Ｒ、Ｇ、Ｂを同時に明るさ制御するためにいずれの階調、画面５０の明るさにおいてもホワイトバランスは維持される。
【１１７２】
  Ｄｕｔｙ比制御は、表示画面５０に対する表示領域５３の面積を変化させることにより、画面５０の輝度を変化するものであった。当然、表示面積５３に比例してＥＬ表示パネルに流れる電流はほぼ比例して変化する。したがって、映像データの総和を求めることにより、表示画面５０のＥＬ素子１５に流れる全消費電流を算出することができる。ＥＬ素子１５のアノード電圧Ｖｄｄは直流電圧で固定値のため、全消費電流が算出できれば、画像データに応じて全消費電力をリアルタイムで算出することができる。算出された全消費電力が規定された最大電力を越えると予測される場合は、図７７の基準電流を電子ボリウムなどの調整回路で調整し、ＲＧＢの基準電流を抑制制御すればよい。
【１１７３】
  また、白ラスター表示での所定輝度を設定し、この時をＤｕｔｙ比最小になるように設定する。たとえば、Ｄｕｔｙ比１／８にする。自然画像はＤｕｔｙ比を大きくする。最大のＤｕｔｙは１／１である。たとえば、画面５０の１／１００しか画像が表示されない自然画像をＤｕｔｙ１／１とする。Ｄｕｔｙ比１／１からＤｕｔｙ比１／８は画面５０の自然画像の表示状態で滑らかに変化させる。
【１１７４】
  以上のように一実施例として、白ラスター表示で（自然画像ではすべての画素が１００％点灯している状態）でＤｕｔｙ比１／８とし、画面５０の１／１００の画素が点灯している状態をＤｕｔｙ比１／１とする。概略の消費電力は、画素数×点灯画素数の割合×Ｄｕｔｙ比で算出できる。
【１１７５】
  説明を容易にするため、画素数を１００とすると、白ラスター表示での消費電力は、１００×１（１００％）×Ｄｕｔｙ比１／８＝８０（当審注：「１２．５」の誤記と認める。）となる。一方、１／１００が点灯している自然画像の消費電力は、１００×（１／１００）（１％）×Ｄｕｔｙ比１／１＝１となる。Ｄｕｔｙ１／１〜Ｄｕｔｙ比１／８は画像の点灯画素数（実際には、点灯画素の総電流＝１フレームのプログラム電流の総和）に応じてフリッカが発生しないようになめらかにＤｕｔｙ比制御が実施される。
【１１７６】
  以上のように白ラスターで消費電力割合は８０（当審注：「１２．５」の誤記と認める。）であり、１／１００が点灯している自然画像の消費電力割合は、１になる。したがって、白ラスター表示での所定輝度を設定し、この時をＤｕｔｙ比最小になるように設定すれば、最大電流を抑制することができる。
【１１７７】
  本発明は、１画面のプログラム電流の総和をＳとし、Ｄｕｔｙ比をＤとし、Ｓ×Ｄで駆動制御を実施するものである。また、白ラスター表示でのプログラム電流の総和をＳｗとし、最大のＤｕｔｙ比をＤｍａｘ（通常は、Ｄｕｔｙ比１／１が最大である）とし、最小のＤｕｔｙ比をＤｍｉｎとし、また、任意の自然画像でのプログラム電流の総和をＳｓとした時、Ｓｗ×Ｄｍｉｎ  ＞＝  Ｓｓ×Ｄｍａｘの関係が維持されるようにする駆動方法およびそれを実現する表示装置である。
【１１７８】
  なお、Ｄｕｔｙ比の最大は１／１とする。最小はＤｕｔｙ比１／１６以上にすることが好ましい。つまり、Ｄｕｔｙ比は１／８以上１／１以下にする。なお、１／１を必ず使用することには制約されないことは言うまでもない。好ましくは、最小のＤｕｔｙ比は１／１０以上にする。Ｄｕｔｙ比が小さすぎると、フリッカの発生が目立ちやすく、また、画像内容による画面の輝度変化が大きくなりすぎ、画像が見づらくなるからである。
【１１７９】
  先にも説明したがプログラム電流は映像データと比例の関係にある。したがって、プログラム電流の総和とはプログラム電流（当審注：「映像データ」の誤記と認める。）の総和と同義である。なお、１フレーム（１フィールド）期間のプログラム電流の総和を求めるとしたが、これに限定するものではない、１フレーム（１フィールド）において、所定間隔あるいは、所定周期などでプログラム電流を加算する画素をサンプリングしてプログラム電流（映像データ）の総和としてもよい。また、制御を行うフレーム（フィールド）の前後の総和データを用いてもよいし、推定あるいは予測による総和データをもちいて、Ｄｕｔｙ比制御を行っても良い。
【１１８０】
  なお、以上の説明ではＤｕｔｙ比Ｄで制御するとして説明したが、Ｄｕｔｙ比は、所定期間（通常は１フィールドまたは１フレームである。つまり、一般的には任意の画素の画像データが書き換えられる周期もしくは時間である）におけるＥＬ素子１５の点灯期間である。つまり、Ｄｕｔｙ比１／８とは、１フレームの１／８の期間（１Ｆ／８）の間、ＥＬ素子１５が点灯していることを意味する。したがって、Ｄｕｔｙ比は、画素１６が書き変えられる周期時間をＴｆとし、画素の点灯期間Ｔａとした時、Ｄｕｔｙ比＝Ｔａ／Ｔｆと読み替えることができる。
【１１８１】
  なお、画素１６が書き変えられる周期時間をＴｆとし、Ｔｆを基準とするとしたがこれに限定されるものではない。本発明のＤｕｔｙ比制御駆動は、１フレームあるいは１フィールドで動作を完結させる必要はない。つまり、数フィールドあるいは数フレーム期間を１周期としてＤｕｔｙ比制御を実施してもよい（図１０４などを参照のこと）。したがって、Ｔｆは画素を書き換える周期だけに限定されるものではなく、１フレームあるいは１フィールド以上であってもよい。たとえば、１フィールドあるいは１フレームごとに点灯期間Ｔａがことなる場合は、繰り返し周期（期間）をＴｆとし、この期間の総点灯期間Ｔａを採用すればよい。つまり、数フィールドあるいは数フレーム期間の平均点灯時間をＴａとしてもよい。Ｄｕｔｙ比についても同様である。Ｄｕｔｙがフレーム（フィールド）ごとに異なる場合は、複数フレーム（フィールド）の平均Ｄｕｔｙ比を算出して用いればよい。」
　
＜記載事項５＞
「【１２１２】
  本発明では画像データの総和あるいは画面の消費電流量を予測できる値を求め、この総和あるいは値により、Ｄｕｔｙ比制御あるいは基準電流制御を行う。
【１２１３】
  なお、画像データの総和を求めるとしたが、これに限定するものではない。たとえば、画像データの１フレームの平均レベルを求めてこれを用いてもよい。アナログ信号であれば、アナログ画像信号をコンデンサによりフィルタリングすることにより平均レベルを得ることができる。アナログの映像信号に対しフィルタを介して直流レベルを抽出し、この直流レベルをＡＤ変換して画像データの総和としてもよい。この場合は、画像データはＡＰＬレベルとも言うことができる。
【１２１４】
  また、３０フレームから３００フレーム期間の画像データの総和あるいは総和を推定できるデータを求め、このデータの大きさに基づいて、Ｄｕｔｙ比制御を行うこと好ましい。総和データは画像変化に応じてゆっくりと変化する。総和データを求めるフレーム期間が長いほど画像の明るさ変化はゆっくりとなる。
【１２１５】
  また、画面５０を構成する画像のすべてのデータを加算する必要はなく、画面５０の１／Ｗ（Ｗは１より大きい値）をピックアップして抽出し、ピックアップしたデータの総和を求めてもよい。
【１２１６】
  説明を容易にするため、以上の場合も画像データの総和を求めるとして説明をする。画像データの総和は、画像のＡＰＬレベルをもとめる事に一致する場合が多い。また、画像データの総和とは、デジタル的に加算する手段もあるが、以上のデジタルおよびアナログによる画像データの総和を求める方法を、以後、説明を容易にするためＡＰＬレベルと呼ぶ。
【１２１７】
  白ラスターの時にＡＰＬレベルは画像がＲＧＢ各６ビットであるから６３（６３階調目であるからデータの表現としては６３で示されている）×画素数（ＱＣＩＦパネルの場合は１７６×ＲＧＢ×２２０）となる。したがって、ＡＰＬレベルは最大となる。ただし、ＲＧＢのＥＬ素子１５で消費する電流は異なるから、ＲＧＢで分離して画像データを算出することが好ましい。
・・・
【１２２２】
  黒ラスターは６４階調表示の場合は０階調目であるから、ＡＰＬレベルは０で最小値となる。図８０の駆動方式では、消費電力（消費電流）は画像データに比例する。なお、画像データは、画面５０を構成するデータの全ビットをカウントする必要はなく、たとえば、画像が６ビットで表現される場合、上位ビット（ＭＳＢ）のみをカウントしてもよい。この場合は、階調数が３２以上で、１カウントされる。したがって、画面５０を構成する画像データによりＡＰＬレベルは変化する。
【１２２３】
  本発明では、得られたＡＰＬレベルの大きさにより、図７８の基準電流制御あるいは図７７のＤｕｔｙ比制御を実施する。
【１２２４】
  理解を容易にするため、具体的に数値を例示して説明する。ただし、これは仮想的であり、実際には実験、画像評価により制御データ、制御方法を決定する必要がある。
【１２２５】
  ＥＬパネルで最大に流せる電流を１００（ｍＡ）とする。白ラスター表示ととき、総和（ＡＰＬレベル）は２００（単位なし）になるとする。このＡＰＬレベルが２００の時、そのままパネルに印加するとＥＬパネルに２００（ｍＡ）が流れるとする。なお、ＡＰＬレベルが０の時、ＥＬパネルに流れる電流は０（ｍＡ）である。また、ＡＰＬレベルが１００の時、Ｄｕｔｙ比は１／２で駆動するものとする。
【１２２６】
  したがって、ＡＰＬが１００以上の場合は、制限である１００（ｍＡ）以下となるようにする必要がある。最も簡単には、ＡＰＬレベルが２００の時、Ｄｕｔｙを（１／２）×（１／２）＝１／４にし、ＡＰＬレベルが１００の時、Ｄｕｔｙを１／２とする。ＡＰＬレベルが１００以上２００以下の時は、Ｄｕｔｙが１／４〜１／２の間をとるように制御する。Ｄｕｔｙ比１／４〜１／２は、ＥＬ選択側のゲートドライバ１２ｂが、同時に選択するゲート信号線１７ｂの本数を制御することにより実現できる。
・・・
【１２３２】
  図８３は本発明の駆動回路のブロック図である。以下、本発明の駆動回路について説明をする。図８３では、外部からＹ／ＵＶ映像信号と、コンポジット（ＣＯＭＰ）映像信号が入力できるように構成されている。どちらに映像信号を入力するかは、スイッチ回路８３１により選択される。
【１２３３】
  スイッチ回路８３１で選択された映像信号は、デコーダおよびＡ／Ｄ回路によりデコードおよびＡＤ変換され、デジタルのＲＧＢ画像データに変換される。ＲＧＢ画像データは各８ビットである。また、ＲＧＢ画像データはガンマ回路８３４でガンマ処理される。同時に輝度（Ｙ）信号が求められる。ガンマ処理により、ＲＧＢ画像データは各１０ビットの画像データに変換される。
【１２３４】
  ガンマ処理後、画像データはＦＲＣ処理または誤差拡散処理が処理回路８３５で行われる。ＦＲＣ処理または誤差拡散処理によりＲＧＢ画像データは６ビットに変換される。この画像データはＡＩ処理回路８３６でＡＩ処理あるいはピーク電流処理が実施される。また、動画検出回路８３７で動画検出が行われる。同時に、カラーマネージメント回路８３８でカラーマネージメント処理が行われる。
【１２３５】
  ＡＩ処理回路８３６、動画検出回路８３７、カラーマネージメント回路８３８の処理結果は演算回路８３９（「当審注：「演算処理回路８３９」の誤記と認める。」に送られ、演算処理回路８３９で制御演算、Ｄｕｔｙ比制御、基準電流制御データに変換され、変換された結果が、ソースドライバ回路１４およびゲートドライバ回路１２に制御データとして送出される。
【１２３６】
  Ｄｕｔｙ比制御データはゲートドライバ回路１２ｂに送られ、Ｄｕｔｙ比制御が実施される。一方、基準電流制御データはソースドライバ回路１４に送られ、基準電流制御が実施される。ガンマ補正され、ＦＲＣまたは誤差拡散処理された画像データもソースドライバ回路１４に送られる。」
　
＜記載事項６＞
「【１２４６】
  ＥＬ表示パネルは、黒表示は、ＥＬ素子１５に流れる電流が０の状態である。したがって、本発明のＤｕｔｙ比駆動のように画面５０に非表示領域５２を発生させても、黒表示の輝度は０である。非表示領域５２の面積を大きくすると白表示輝度は低下する。しかし、黒表示の輝度が０であるから、コントラストは無限大である。したがって、Ｄｕｔｙ比駆動は、ＥＬ表示パネルに最適な駆動方法である。以上のことは、基準電流制御においても同様である。基準電流の大きさを変化させても、黒表示の輝度は０である。基準電流を大きくすると白表示輝度は増加する。したがって、基準電流制御においても良好な画像表示を実現できる。
【１２４７】
  Ｄｕｔｙ比制御は、全階調範囲で階調数が保持され、また、全階調範囲でホワイトバランスが維持される。また、Ｄｕｔｙ比制御により画面５０の輝度変化は１０倍近く変化させることができる。また、変化はＤｕｔｙ比に線形の関係になるから制御も容易である。しかし、Ｄｕｔｙ比制御は、Ｎ倍パルス駆動であるから、ＥＬ素子１５に流れる電流の大きさが大きく、また、画面５０の輝度にかかわらず、常時ＥＬ素子に流れる電流の大きさが大きくなり、ＥＬ素子１５が劣化しやすいという課題がある。
【１２４８】
  基準電流制御は、画面輝度５０を高くするときに、基準電流量を大きくするものである。したがって、画面５０が高いときにしか、ＥＬ素子１５に流れる電流は大きくならない。そのため、ＥＬ素子１５が劣化しにくい。課題は、基準電流を変化させた時のホワイトバランス維持が困難である傾向が強い。
【１２４９】
  本発明では、基準電流制御とＤｕｔｙ比制御の両方を用いる。画面５０が白ラスター表示に近い時には、基準電流は一定値に固定し、Ｄｕｔｙ比のみを制御して表示輝度などを変化させる。画面５０に黒ラスター表示に近い時は、Ｄｕｔｙ比は一定値に固定し、基準電流のみを制御させて表示輝度などを変化させる。
【１２５０】
  Ｄｕｔｙ比制御は、データ和／最大値が１／１０以上１／１の範囲で実施する。なお、データ和／最大値は点灯率と同義である。データ和／最大値が１であれば、点灯率１００％である（基本的に最大の白ラスター表示）。データ和／最大値が０であれば、点灯率０％である（基本的に完全黒ラスター表示である）。
・・・
【１２５５】
  データ和／最大値（点灯率）は、映像データの和から求める。入力映像信号がＹ、Ｕ、Ｖの場合は、Ｙ（輝度）信号から求めても良い。しかし、ＥＬパネルの場合は、Ｒ、Ｇ、Ｂで発光効率が異なるため、Ｙ信号から求めた値が消費電力にならない。したがって、Ｙ、Ｕ、Ｖ信号の場合も、一度Ｒ、Ｇ、Ｂ信号に変換し、Ｒ、Ｇ、Ｂに応じて電流に換算する係数をかけて、消費電流（消費電力）を求めることが好ましい。しかし、簡易的にＹ信号から消費電流を求めることは回路処理が容易になることも考慮してもよい。
【１２５６】
  点灯率は、パネルに流れる電流で換算されているものであるとする。なぜなら、ＥＬ表示パネルではＢの発光効率が悪いため、海の表示などが表示されると、消費電力が一気に増加するからである。したがって、最大値は、電源容量の最大値である。また、データ和とは単純な映像データの加算値ではなく、映像データを消費電流に換算したものとしている。したがって、点灯率も最大電流に対する各画像の使用電流から求められたものである。
【１２５７】
  データ和／最大値が１／１００以上１／１の範囲で実施する。また、基準電流の倍率変化（単位トランジスタ４８４の出力電流変化）は、データ和／最大値が１／１０以上１／１０００の範囲で実施する。さらに好ましくはデータ和／最大値が１／１００以上１／２０００の範囲で実施する。基準電流制御とＤｕｔｙ比制御はオーバーラップしないようにすることが好ましい。図８９ではデータ和／最大値が１／１００以下では基準電流の倍率を変化させており、１／１００以上でＤｕｔｙ比を変化させている。したがって、オーバーラップはしていない。
【１２５８】
  ここでは説明を容易にするため、Ｄｕｔｙ比の最大はＤｕｔｙ比１／１とし、最小はＤｕｔｙ比１／８とする。基準電流は、１倍から３倍に変化させるとする。また、データ和は画面５０のデータの総和を意味し、（データ和の）最大値は、最大輝度での白ラスター表示での画像データの総和であるとする。なお、Ｄｕｔｙ比１／１まで使用する必要がないことは言うまでもない。Ｄｕｔｙ比１／１は最大値として記載している。本発明の駆動方法では、最大のＤｕｔｙ比を２１０／２２０などと設定してもよいことは言うまでもない。なお、２２０はＱＣＩＦ＋の表示パネルの画素行数を例示している。
・・・
【１２６３】
  以下の説明では最大値とは白ラスターの画像データの加算値としたが、これは説明を容易にするためである。最大値は画像データの加算処理あるいはＡＰＬ処理などで発生する最大値である。したがって、データ和／最大値とは、処理を行う画面の画像データの最大値に対する割合である。
【１２６４】
  なお、データ和は消費電流で算定するか、輝度で算定するかはどちらでもよい。ここでは説明を容易にするため、輝度（画像データ）の加算であるとして説明をする。一般的に輝度（画像データ）の加算の方式が処理は容易であり、コントローラＩＣのハード規模も小さくできる。また、Ｄｕｔｙ比制御によるフリッカの発生もなく、ダイナミックレンジを広く取れることから好ましい。
・・・
【１２９２】
  以下の説明では最大値とは白ラスターの画像データの加算値としたが、これは説明を容易にするためである。最大値は画像データの加算処理あるいはＡＰＬ処理などで発生する最大値である。したがって、データ和／最大値とは、処理を行う画面の画像データの最大値に対する割合である。
【１２９３】
  ただし、データ和とは、１画面のデータを正確に加算することを必要としない。１画面をサンプリングした画素のデータの加算値から１画面の加算値を推定（予測）したものでもよい。また、最大値も同様である。また、複数フィールドあるいは複数フレームからの予測値あるいは推定値でもよい。また、画像データの加算だけでなく、映像データをローパスフィルタ回路によりＡＰＬレベルを求めて、このＡＰＬレベルをデータ和としてもよい。この時の最大値は、最大振幅の映像データが入力された時のＡＰＬレベルの最大値である。
【１２９４】
  なお、データ和は表示パネルの消費電流で算定するか、輝度で算定するかはどちらでもよい。ここでは説明を容易にするため、輝度（画像データ）の加算であるとして説明をする。一般的に輝度（画像データ）の加算の方式が処理は容易である。
【１２９５】
  図１９７は横軸をデータ和／最大値としている。最大値は１である。縦軸はＤＵＴＹ比である。データ和＝最大値（データ和／最大値＝１）は、全画素行が最大の白表示状態である。データ和／最大値が小さい時は、暗い画面あるいは画像表示領域が少ない画面である。この時は、ＤＵＴＹ比を大きくしている。したがって、画像を表示している画素の輝度は高い。そのため、画像のダイナミックレンジが拡大されて高画質表示される。データ和／最大値が大きい時（最大値は１）は、明るい画面あるいは画像表示領域が広い画面である。この時は、ＤＵＴＹ比を小さくしている。したがって、画像を表示している画素の輝度は低い。そのため、低消費電力化が可能である。画面から放射される光量は大きいため、画像が暗く感じることはない。
【１２９６】
  図１９７では、データ和／最大値が１．０の時に、到達するＤＵＴＹ比値を変化させている。たとえば、ＤＵＴＹ比＝１／２は画面の１／２が画像表示状態になる。したがって、画像は明るい。ＤＵＴＹ比＝１／８は画面の１／８が画像表示状態になる。したがって、ＤＵＴＹ比＝１／２に比較して１／４の明るさである。
【１２９７】
  本発明の駆動方式では、データ和などにより画像輝度を制御し、また、ダイナミックレンジを拡大する。また、高コントラスト表示を実現する。
【１２９８】
  液晶表示パネルでは、白表示および黒表示はバックライトからの透過率で決定される。本発明の駆動方法のように画面に非表示領域を発生させても、黒表示における透過率は一定である。逆に非表示領域を発生させることにより、１フレーム期間における白表示輝度が低下するから表示コントラストは低下する。
【１２９９】
  ＥＬ表示パネルは、黒表示は、ＥＬ素子に流れる電流が０の状態である。したがって、本発明の駆動方法のように画面に非表示領域を発生させても、黒表示の輝度は０である。非表示領域の面積を大きくすると白表示輝度は低下する。しかし、黒表示の輝度が０であるから、コントラストは無限大である。したがって、良好な画像表示を実現できる。
【１３００】
  また、本発明の駆動方法では、全階調範囲で階調数が保持され、また、全階調範囲でホワイトバランスが維持される。また、ＤＵＴＹ比制御により画面の輝度変化は１０倍近く変化させることができる。また、変化はＤＵＴＹ比に線形の関係になるから制御も容易である。また、Ｒ、Ｇ、Ｂを同一比率で変化させることできる。したがって、どのＤｕｔｙ比においてもホワイトバランスは維持される。
【１３０１】
  データ和／最大値とＤＵＴＹ比の関係は、画像データの内容、画像表示状態、外部環境に合わせて設定することが好ましい。また、ユーザーが自由に設定あるいは調整できるように構成することが好ましい。
【１３０２】
  以上の切り替え動作は、携帯電話、モニターなどの電源をオンしたときに、表示画面を非常に明るく表示し、一定の時間を経過した後は、電力セーブするために、表示輝度を低下させる構成に用いる。また、ユーザーが希望する明るさに設定する機能としても用いることができる。たとえば、屋外などでは、画面を非常に明るくする。屋外では周辺が明るく、画面が全く見えなくなるからである。つまり、屋外では、図１９７のａのカーブを選択する。しかし、高い輝度で表示し続けるとＥＬ素子は急激に劣化する。そのため、非常に明るくする場合は、短時間で通常の輝度に復帰させるように構成しておく。たとえば、通常では、ｃのカーブを選択する。また、さらに、高輝度で表示させる場合は、ユーザーがボタンと押すことにより表示輝度を高くできるようの構成しておく。
【１３０３】
  したがって、ユーザーがボタンで切り替えできるようにしておくか、設定モードで自動的に変更できるか、外光の明るさを検出して自動的に切り替えできるように構成しておくことが好ましい。また、表示輝度を５０％、６０％、８０％とユーザーなどが設定できるように構成しておくことが好ましい。また、外部のマイコンなどにより、Ｄｕｔｙ比カーブ、傾きなどを書き換えるように構成することが好ましい。また、メモリされた複数のＤｕｔｙカーブ（当審注：「Ｄｕｔｙ比カーブ」の誤記と認める。）から１つを選択できるように構成することが好ましい。
【１３０４】
  なお、ＤＵＴＹ比カーブなどの選択は、ＡＰＬレベル、最大輝度（ＭＡＸ）、最小輝度（ＭＩＮ）、輝度の分布状態（ＳＧＭ）を加味して行うことが好ましいことは言うまでもない。
【１３０５】
  以上のように、たとえば、ａは屋外用のカーブである。ｃは屋内用のカーブである。ｂは屋内と屋外との中間状態用のカーブである。カーブａ、ｂ、ｃとの切り替えは、ユーザーがスイッチを操作することにより切り替えるようにする。また、外光の明るさをホトセンサで検出し、自動的に切り替えるようにしてもよい。なお、ガンマカーブ（当審注：「Ｄｕｔｙ比カーブ」の誤記と認める。）を切り替えるとしたが、これに限定するものではない。計算によりガンマカーブ（当審注：「Ｄｕｔｙ比カーブ」の誤記と認める。）を発生させてもよいことは言うまでもない。
【１３０６】
  図１９７のＤＵＴＹ比は直線であったが、これに限定するものではない。図１９８に図示するように、一点折れカーブとしてもよい。
・・・
【１３１３】
  以上の実施例では、データ和／最大値が０では、ＤＵＴＹ比を１にするとしたが、本発明はこれに限定するものではない。図２００に図示するように、ＤＵＴＹ比を１より小さい値となるようにしてもよいことは言うまでもない。また、ＤＵＴＹ比のカーブは図２０１に図示するように曲線となるようにしてもよい。」
 　 
（２）引用刊行物に記載された発明
　引用刊行物の段落【０１３０１】〜【０１３０５】、図１９７に記載されるＤｕｔｙ比制御を行うＥＬ表示装置に基づいて引用発明を認定する。なお、認定するに際し、段落【０１２７】に「図８ではゲートドライバ１２の制御信号はコントロールＩＣで発生させ、ソースドライバ１４で、レベルシフトを行った後、ゲートドライバ１２に印加している。ソースドライバ１４の駆動電圧は４〜８（Ｖ）であるから、コントロールＩＣ８１から出力された３．３（Ｖ）振幅の制御信号を、ゲートドライバ１２が受け取れる５（Ｖ）振幅に変換することができる。」と記載され、段落【１１６７】に「 以上のように、本発明の駆動方法および表示装置は、画素１６にＥＬ素子１５に流す電流値を記憶できる構成（図１ではコンデンサ１９が該当する）と、駆動用トランジスタ１１ａと発光素子（ＥＬ素子１５が例示される）との電流経路をオンオフできる構成（図１、図４３、図１１３、図１１４、図１１７などの画素構成が該当する）の表示パネルにあって、少なくとも表示画像の表示状態において図１９の表示状態を発生させる（画像の輝度によっては、画面５０が表示領域５３（Ｄｕｔｙ１／１になってもよい）駆動方法である。かつ、Ｄｕｔｙ比駆動（少なくとも画面５０の一部が非表示領域５３となる駆動方法または駆動状態）が所定のＤｕｔｙ比以下では、１水平走査期間（１Ｈ期間）以内あるいは１Ｈ期間単位に限定されるＥＬ素子１５に流す電流を制御して、表示画面５０の輝度制御を行うものである。この制御はＯＥＶ２制御により実施する（ＯＥＶ２に関しては図１７５とその説明を参照のこと）。」と記載され、コントロールＩＣ８１を含む駆動回路を説明する段落【１２３２】に「図８３は本発明の駆動回路のブロック図である。」と記載されているように、画素構成として、図１の画素構成を有し、図１７５、図１７６のＯＥＶ２制御を使用して、Ｄｕｔｙ比の制御を行い、駆動回路の具体的構成として図８３の回路構成を有するものとして認定する。
　
（２−１）
　上記記載事項１には、「【００４８】本発明のＥＬ表示装置の画素構造は、・・・」と記載されている。
　
　この記載によれば、引用刊行物には、「ＥＬ表示装置」の発明が記載されている。
　
（２−２）
　上記記載事項２には、「【００４９】  ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、
前記ＥＬ素子１５に流すべき電流値をソースドライバ回路１４から流す。
プログラム電流Ｉｗがソース信号線１８に流れる。
プログラム電流は映像データと比例の関係にある
　
　これらの記載によれば、引用刊行物に記載された「ＥＬ表示装置」は、「ソース信号線１８に映像データに応じたプログラム電流Ｉｗを流すソースドライバ回路１４」を備えている。
　
（２−３）
　上記記載事項１には、「【００４９】
ゲート信号線（第１の走査線）１７ａをアクティブ（ＯＮ電圧を印加）とすることにより
前記ＥＬ素子１５に流すべき電流値をソースドライバ回路１４から流す。
ゲート信号線１７ａを非アクティブ（ＯＦＦ電圧を印加）、ゲート信号線１７ｂをアクティブとして、
記憶した電流を前記ＥＬ素子１５に流す
電流プログラム時は、プログラム電流Ｉｗがソース信号線１８に流れる。
ＥＬ素子１５に電流を流す期間は
ゲート信号線１７ｂにオン電圧（Ｖｇｌ）が印加され、トランジスタ１１ｄがオンする。
電流プログラムを行う画素行を選択するゲート信号線１７ａ
ゲート信号線１７ａを制御するゲートドライバ回路１２ａの出力をＷＲ側選択信号線と呼ぶ。
ゲート信号線１７ｂを制御するゲートドライバ回路１２ｂの出力をＥＬ側選択信号線と呼ぶ。
　
　これらの記載によれば、引用刊行物に記載された「ＥＬ表示装置」は、「電流プログラムを行う画素行を選択するゲート信号線１７ａにオン電圧を印加するゲートドライバ回路１２ａと、ＥＬ素子１５に電流を流す期間を設定するゲート信号線１７ｂにオン電圧を印加するゲートドライバ回路１２ｂ」を備えている。
　
（２−４）
　上記記載事項１には、「【００４８】 本発明のＥＬ表示装置の画素構造は、具体的には図１に示すように
単位画素が最低４つからなる複数のトランジスタ１１ならびにＥＬ素子により形成される。
ゲート信号線（第１の走査線）１７ａをアクティブ（ＯＮ電圧を印加）とすることにより
前記ＥＬ素子１５に流すべき電流値をソースドライバ回路１４から流す。
ゲート信号線１７ａを非アクティブ（ＯＦＦ電圧を印加）、ゲート信号線１７ｂをアクティブとして、
記憶した電流を前記ＥＬ素子１５に流すように動作する
図５（ａ）の５１ａは表示画面５０における、ある時刻での電流プログラムされている画素（行）（書き込み画素行）を示している。
電流プログラム時は、プログラム電流Ｉｗがソース信号線１８に流れる。
画面５０
　
　これらの記載によれば、引用刊行物に記載された「ＥＬ表示装置」は、「前記プログラム電流Ｉｗ、前記ゲート信号線１７ａへのオン電圧、前記ゲート信号線１７ｂへのオン電圧が印加されることにより、画像表示を行う複数の画素を有する画面５０」を備えている。
　
（２−５）
　上記記載事項３には、「【０５３５】ゲートドライバ回路１２ｂのシフトレジスタ内の保持データにより、ゲート信号線１７ｂ（ＥＬ側選択信号線）に出力される電圧がオン電圧（Ｖｇｌ）かオフ電圧（Ｖｇｈ）かが決定される。さらに、
ゲートドライバ回路１２ｂの出力段には、強制的に出力をオフにするＯＥＶ２回路（図示せず）が形成または配置されている。
ＯＥＶ２の制御により、画面輝度を調整する。
ＯＥＶ２による制御あるいはＤｕｔｙ比制御による画面５０の輝度調整
Ｄｕｔｙ比は、所定期間（通常は１フィールドまたは１フレームである。つまり、一般的には任意の画素の画像データが書き換えられる周期もしくは時間である）におけるＥＬ素子１５の点灯期間である。
演算処理回路８３９で制御演算、Ｄｕｔｙ比制御、基準電流制御データに変換され、変換された結果が、
ゲートドライバ回路１２に制御データとして送出される。
Ｄｕｔｙ比制御データはゲートドライバ回路１２ｂに送られ、Ｄｕｔｙ比制御が実施される。
　
　これらの記載によれば、引用刊行物に記載された「ＥＬ表示装置」は、「前記画面５０の輝度の調整するために、１フレーム期間における前記ＥＬ素子１５の点灯期間を規定するＤｕｔｙ比制御データを生成し、前記Ｄｕｔｙ比制御データを前記ゲートドライバ回路１２ｂに送る演算処理回路８３９」を備えている。
　
（２−６）
　上記記載事項４には、「【１１７１】
本発明のＤｕｔｙ比制御駆動は、ＥＬ素子１５の点灯時間の制御である
Ｄｕｔｙ比制御は、表示画面５０に対する表示領域５３の面積を変化させることにより、画面５０の輝度を変化するもの
映像データの総和を求めることにより、表示画面５０のＥＬ素子１５に流れる全消費電流を算出することができる。
プログラム電流は映像データと比例の関係にある。したがって、プログラム電流の総和とは映像データの総和と同義である。
１フレーム（１フィールド）期間のプログラム電流の総和を求める
演算処理回路８３９で制御演算、Ｄｕｔｙ比制御、基準電流制御データに変換され、
データ和／最大値（点灯率）は、映像データの和から求める。
データ和は画面５０のデータの総和を意味し、（データ和の）最大値は、最大輝度での白ラスター表示での画像データの総和である
データ和／最大値とは、処理を行う画面の画像データの最大値に対する割合である
　
　これらの記載によれば、引用刊行物に記載された「ＥＬ表示装置」が備える前記「演算処理回路８３９」は、「１フレーム期間の映像データの総和と、その最大値との比である、データ和／最大値を求める」ものである。
　また、引用刊行物に記載された「ＥＬ表示装置」が備える前記「演算処理回路８３９」は、「１フレーム期間の映像データの総和と、その最大値との比である、データ和／最大値を求める回路部分」を有するものともいえる。
　
（２−７）
ア．上記記載事項５には、「【１２３５】ＡＩ処理回路８３６、動画検出回路８３７、カラーマネージメント回路８３８の処理結果は演算処理回路８３９に送られ、
演算処理回路８３９で制御演算、Ｄｕｔｙ比制御、基準電流制御データに変換され、変換された結果が、ソースドライバ回路１４およびゲートドライバ回路１２に制御データとして送出される。
Ｄｕｔｙ比制御データはゲートドライバ回路１２ｂに送られ、Ｄｕｔｙ比制御が実施される。
図１９７は横軸をデータ和／最大値としている。
縦軸はＤＵＴＹ比である。
データ和／最大値とＤＵＴＹ比の関係は、
外部環境に合わせて設定する
ユーザーが自由に設定あるいは調整できる
屋外などでは、画面を非常に明るくする。屋外では周辺が明るく、画面が全く見えなくなるからである。
外光の明るさを検出して自動的に切り替えできる
外部のマイコンなどにより、Ｄｕｔｙ比カーブ、傾きなどを書き換えるように構成することが好ましい。また、メモリされた複数のＤｕｔｙ比カーブから１つを選択できる
ａは屋外用のカーブである。ｃは屋内用のカーブである。ｂは屋内と屋外との中間状態用のカーブである。カーブａ、ｂ、ｃとの切り替えは、
外光の明るさをホトセンサで検出し、自動的に切り替える
計算によりＤｕｔｙ比カーブを発生させてもよい
　
イ．上記アの記載によれば、引用刊行物に記載された「ＥＬ表示装置」が備える前記「演算処理回路８３９」は、「外光の明るさを検出して、前記データ和／最大値と前記Ｄｕｔｙ比との関係を示すＤｕｔｙ比カーブとして、屋外用のＤｕｔｙ比カーブａ、屋内と屋外との中間状態用のＤｕｔｙ比カーブｂ、屋内用のＤｕｔｙ比カーブｃの内の一つへ自動的に切り替え、前記切り替えられた一つのＤｕｔｙ比カーブに従って、前記データ和／最大値に対応する前記Ｄｕｔｙ比を有するＤｕｔｙ比制御データを生成し、前記Ｄｕｔｙ比制御データを前記ゲートドライバ回路１２ｂに送る」ものである。
　
ウ．また、上記（２−６）によれば、引用刊行物に記載された「データ和／最大値」は、１フレーム期間の映像データの総和に基づく値であるといえる。
　
　よって、この事項及び上記イの事項によれば、引用刊行物に記載された「ＥＬ表示装置」が備える前記「演算処理回路８３９」は、つまるところ、「１フレーム期間の映像データの総和と外光の明るさに応じたＤｕｔｙ比を有するＤｕｔｙ比制御データを生成し、前記Ｄｕｔｙ比制御データを前記ゲートドライバ回路１２ｂに送る」ものであるといえる。
　
エ．また、上記アの記載によれば、引用刊行物に記載された「Ｄｕｔｙ比カーブａ、ｂ、ｃ」はいずれも、演算処理回路８３９によって行われるＤｕｔｙ比制御において使用されるものであって、メモリ上の所定の大きさの記憶領域上に設けられ、データ和／最大値の入力（データ和／最大値を横軸）に対応してＤｕｔｙ比が出力されるもの（縦軸はＤｕｔｙ比）であって、外部のマイコンなどにより、書き換え可能なものであり、かつ、計算により発生させられるものではない。
　ここで、引用刊行物に記載された「Ｄｕｔｙ比カーブａ、ｂ、ｃ」がどこに含まれるものであるかは引用刊行物に明示されていないが、該「Ｄｕｔｙ比カーブａ、ｂ、ｃ」は、図８３のコントロールＩＣ８１内の演算処理回路８３９によってアクセス可能なものであって、コントロールＩＣ８１内にあるものであり、かつ、演算処理回路８３９は、コントロールＩＣ８１において、制御演算データ、Ｄｕｔｙ比制御データ、基準電流制御データの生成、すべてに関係する処理を行う回路であるから、該「Ｄｕｔｙ比カーブａ、ｂ、ｃ」が、引用刊行物に記載された「演算処理回路８３９」に含まれるものとして認定する。（なお、引用刊行物に記載された「ホトセンサ」についても、同様に、引用刊行物に記載された「演算処理回路８３９」に含まれるものとして認定する。）
　
　よって、引用刊行物に記載された「ＥＬ表示装置」が備える前記「演算処理回路８３９」が有する「Ｄｕｔｙ比カーブａ、ｂ、ｃ」は、データ和／最大値をアドレスとするメモリ空間に、データ和／最大値の各値に対応するＤｕｔｙ比を格納したもの、すなわち、「データ和／最大値に対応するＤｕｔｙ比を保存するルックアップテーブル」であるといえる。
　
オ．また、上記アの記載及び上記エの括弧書き内の事項によれば、引用刊行物に記載された「ＥＬ表示装置」が備える前記「演算処理回路８３９」は、「前記外光の明るさを検出して、前記Ｄｕｔｙ比カーブａ、前記Ｄｕｔｙ比カーブｂ、前記Ｄｕｔｙ比カーブｃのいずれか一つに切り替えるための信号を出力するホトセンサ」を有するものでもある。
　
（２−８）
　上記（２−１）〜（２−７）によれば、引用刊行物には、以下の発明が記載されている。 
「ソース信号線１８に映像データに応じたプログラム電流Ｉｗを流すソースドライバ回路１４と；
　電流プログラムを行う画素行を選択するゲート信号線１７ａにオン電圧を印加するゲートドライバ回路１２ａと、ＥＬ素子１５に電流を流す期間を設定するゲート信号線１７ｂにオン電圧を印加するゲートドライバ回路１２ｂと；
　前記プログラム電流Ｉｗ、前記ゲート信号線１７ａへのオン電圧、前記ゲート信号線１７ｂへのオン電圧が印加されることにより、画像表示を行う複数の画素を有する画面５０と；
　前記画面５０の輝度の調整するために、１フレーム期間における前記ＥＬ素子１５の点灯期間を規定するＤｕｔｙ比制御データを生成し、前記Ｄｕｔｙ比制御データを前記ゲートドライバ回路１２ｂに送る演算処理回路８３９と；
を備え、
　前記演算処理回路８３９は、
　１フレーム期間の映像データの総和と、その最大値との比である、データ和／最大値を求め、
　外光の明るさを検出して、前記データ和／最大値と前記Ｄｕｔｙ比の関係を示すＤｕｔｙ比カーブとして、屋外用のＤｕｔｙ比カーブａ、屋内と屋外との中間状態用のＤｕｔｙ比カーブｂ、屋内用のＤｕｔｙ比カーブｃの内の一つに自動的に切り替え、前記切り替えられた一つのＤｕｔｙ比カーブに従って、前記データ和／最大値に対応する前記Ｄｕｔｙ比を有するＤｕｔｙ比制御データを生成し、前記Ｄｕｔｙ比制御データを前記ゲートドライバ回路１２ｂに送ることにより、
　前記１フレーム期間の映像データの総和と前記外光の明るさに応じたＤｕｔｙ比を有する前記Ｄｕｔｙ比制御データを生成し、前記Ｄｕｔｙ比制御データを前記ゲートドライバ回路１２ｂに送るものであって、
　前記演算処理回路８３９は、
　前記１フレーム期間の映像データの総和と、その最大値との比である、前記データ和／最大値を求める回路部分と、
　前記データ和／最大値に対応する前記Ｄｕｔｙ比を保存するルックアップテーブルである、前記Ｄｕｔｙ比カーブａ、ｂ、ｃと、
　前記外光の明るさを検出して、前記Ｄｕｔｙ比カーブａ、ｂ、ｃのいずれか一つに切り替えるための信号を出力するホトセンサ
を有するＥＬ表示装置。」（以下、「引用発明」という。）
　
５．対比
 　本願発明と引用発明とを比較する。 
　
（１）
　引用発明の「ＥＬ表示装置」は、本願発明の「有機発光表示装置」に相当し、以下同様に、「ソース信号線１８」は「データ線」に、「プログラム電流Ｉｗ」は「データ信号」に、「ソースドライバ回路１４」は「データ駆動部」に相当する。
　
　よって、引用発明の「ソース信号線１８に映像データに応じたプログラム電流Ｉｗを流すソースドライバ回路１４」は、本願発明の「データ線にデータ信号を供給するデータ駆動部」に相当する。
　
（２）
　引用発明の「電流プログラムを行う画素行を選択するゲート信号線１７ａ」は、本願発明の「走査線」に相当し、以下同様に、「ゲート信号線１７ａ」への「オン電圧」は「走査信号」に、「ＥＬ素子１５に電流を流す期間を設定するゲート信号線１７ｂ」は「発光制御線」に、「ゲート信号線１７ｂ」への「オン電圧」は「発光制御信号」に、「ゲートドライバ回路１２ａ」及び「ゲートドライバ回路１２ｂ」は「走査駆動部」に相当する。
　
　よって、引用発明の「電流プログラムを行う画素行を選択するゲート信号線１７ａにオン電圧を印加するゲートドライバ回路１２ａと、ＥＬ素子１５に電流を流す期間を設定するゲート信号線１７ｂにオン電圧を印加するゲートドライバ回路１２ｂ」は、本願発明の「走査線に走査信号を順次供給し，発光制御線に発光制御信号を順次供給する走査駆動部」に相当する。
　
（３）
　引用発明の「画素」は、本願発明の「画素」に相当し、引用発明の「画面５０」は、本願発明の「画素部」に相当する。
　また、上記（１）によれば、引用発明の「プログラム電流Ｉｗ」は本願発明の「データ信号」に相当し、上記（２）によれば、引用発明の「ゲート信号線１７ａ」への「オン電圧」は本願発明の「走査信号」に相当し、引用発明の「ゲート信号線１７ｂ」への「オン電圧」は本願発明の「発光制御信号」に相当する。
　
　よって、引用発明の「前記プログラム電流Ｉｗ、前記ゲート信号線１７ａへのオン電圧、前記ゲート信号線１７ｂへのオン電圧が印加されることにより、画像表示を行う複数の画素を有する画面５０」は、本願発明の「前記データ信号，前記走査信号及び前記発光制御信号の供給を受けて映像を表現する複数の画素を具備する画素部」に相当する。
　
（４）
　上記（３）によれば、引用発明の「画面５０」は、本願発明の「画素部」に相当する。
　よって、引用発明の「前記画面５０の輝度の調整する」は、本願発明の「前記画素部の輝度を制御する」に相当する。
　
　したがって、引用発明の「前記画面５０の輝度の調整するために、１フレーム期間における前記ＥＬ素子１５の点灯期間を規定するＤｕｔｙ比制御データを生成し、前記Ｄｕｔｙ比制御データを前記ゲートドライバ回路１２ｂに送る演算処理回路８３９」は、本願発明の「前記画素部の輝度を制御する輝度制御部」に相当する。
　
（５）
ア．引用発明の「映像データ」は、本願発明の「データ」に相当する。
　よって、引用発明の「１フレーム期間の映像データの総和」は、本願発明の「一フレーム分のデータの大きさ」、及び、「一フレーム分のデータを合算」した「合算データ」に相当する。
　また、引用発明の「外光の明るさ」は、本願発明の「周辺光の強さ」に相当する。
　
イ．引用発明の「Ｄｕｔｙ比」は、１フレーム期間における前記ＥＬ素子１５の点灯期間を規定する値であるから、ＥＬ表示装置側から見て、最終的に、ＥＬ素子１５の点灯期間を規定する値であるといえる。一方、本願発明の「第２発光制御信号の幅」も、周辺光の強さによって第１発光制御信号の幅を制御して生成されるものであって、有機発光表示装置側から見て、最終的に、１フレーム期間の発光期間の長さを規定する値である。
　よって、引用発明の「Ｄｕｔｙ比」は、本願発明の「第２発光制御信号の幅」に相当する。
　さらに、引用発明の「Ｄｕｔｙ比制御データ」は「Ｄｕｔｙ比」を有するものであって、ゲートドライバ回路１２ｂに送られるものである一方で、本願発明の「輝度制御信号」も、輝度制御信号生成部において「第２発光制御信号の幅」の伝達を受けて生成され、走査駆動部に伝送されるものである。そして、上記（２）によれば、引用発明の「ゲートドライバ回路１２ｂ」は、本願発明の「走査駆動部」に相当する。
　よって、引用発明の「Ｄｕｔｙ比制御データ」は、本願発明の「輝度制御信号」に相当する。
　
ウ．本願発明の「輝度制御部」は、「一フレーム分のデータの大きさによって第１発光制御信号の幅を生成する第１輝度制限部と；前記周辺光の強さによって前記第１発光制御信号の幅を制御して第２発光制御信号の幅を生成する第２輝度制限部と；前記第２輝度制限部から前記第２発光制御信号の幅の伝達を受けて輝度制御信号を生成し，前記輝度制御信号を前記走査駆動部に伝送する輝度制御信号生成部と；を有する」ものであるから、つまるところ、１フレーム分のデータの大きさと周辺光の強さによって生成された第２発光制御信号の幅に対応する輝度制御信号を生成し、前記輝度制御信号を前記走査駆動部に伝送するものである。
　そして、上記（４）によれば、引用発明の「演算処理回路８３９」は、本願発明の「輝度制御部」に相当する。
　
　したがって、引用発明の「演算処理回路８３９」が、「前記１フレーム期間の映像データの総和と前記外光の明るさに応じたＤｕｔｙ比を有する前記Ｄｕｔｙ比制御データを生成し、前記Ｄｕｔｙ比制御データを前記ゲートドライバ回路１２ｂに送る」ことと、本願発明の「輝度制御部」が、「一フレーム分のデータの大きさによって第１発光制御信号の幅を生成する第１輝度制限部と；前記周辺光の強さによって前記第１発光制御信号の幅を制御して第２発光制御信号の幅を生成する第２輝度制限部と；前記第２輝度制限部から前記第２発光制御信号の幅の伝達を受けて輝度制御信号を生成し，前記輝度制御信号を前記走査駆動部に伝送する輝度制御信号生成部と；を有」することとは、共に、「１フレーム分のデータの大きさと周辺光の強さに応じて生成された第２発光制御信号の幅に対応して輝度制御信号を生成し、前記輝度制御信号を前記走査駆動部に伝送する」ことで共通する。
　
（６）
　上記（５）アによれば、引用発明の「１フレーム期間の映像データの総和」は、本願発明の「一フレーム分のデータを合算」した「合算データ」に相当する。
　よって、引用発明の、１フレーム期間の映像データの総和と、その最大値との比である、「データ和／最大値」と、本願発明の、「合算データの最上位ビットを含む少なくとも二つのビット値」である、「制御データ」とは共に、「１フレーム分のデータを合算した合算データに基づく値」である点で共通する。
　
　したがって、引用発明の「前記演算処理回路８３９」の有する「前記１フレーム期間の映像データの総和と、その最大値との比である、前記データ和／最大値を求める回路部分」と、本願発明の「輝度制御部」が有する「第１輝度制限部」内の「一フレーム分のデータを合算して合算データを生成し，前記合算データの最上位ビットを含む少なくとも二つのビット値を制御データとして伝送するデータ合算部」とは、共に、「輝度制御部」が有する「１フレーム分のデータを合算した合算データに基づく値を生成して、その後の処理に利用する回路部分」である点で共通する。
　
（７）
　引用発明の「Ｄｕｔｙ比カーブａ、ｂ、ｃ」は、「前記データ和／最大値に対応する前記Ｄｕｔｙ比を保存するルックアップテーブル」である。
　一方、本願発明の「第１ルックアップテーブル」は「前記制御データの値に対応する前記第１発光制御信号の幅を保存する」ものであって、「第２発光制御信号の幅」は「前記第１発光制御信号の幅と前記変動値を乗算」することにより生成されるものであるから、本願発明の「第１ルックアップテーブル」は、制御データの値に対応して第２発光制御信号の幅に対応するパラメータを保存するルックアップテーブルといえる。
　そして、上記（５）イによれば、引用発明の「Ｄｕｔｙ比」は、本願発明の「第２発光制御信号の幅」に相当し、上記（６）によれば、引用発明の「データ和／最大値」と、本願発明の「制御データ」とは、共に、「１フレーム分のデータを合算した合算データに基づく値」である点で共通する。
　
　よって、引用発明の、「前記演算処理回路８３９」が有する、「前記データ和／最大値に対応する前記Ｄｕｔｙ比を保存するルックアップテーブルである、前記Ｄｕｔｙ比カーブａ，ｂ，ｃ」と、本願発明の、「輝度制御部」が有する「第１輝度制限部」内の、制御データの値に対応して第２発光制御信号の幅に応じたパラメータを保存するルックアップテーブルである、「第１ルックアップテーブル」とは、共に、「輝度制御部」が有する「１フレーム分のデータを合算した合算データに基づく値に対応する、第２発光制御信号の幅に応じたパラメータを保存するルックアップテーブル」である点で共通する。
　
（８）
　引用発明の「Ｄｕｔｙ比カーブａ、ｂ、ｃのいずれか一つに切り替えるための信号」により、データ和／最大値に対応して出力されるＤｕｔｙ比が切り替わるから、引用発明の「Ｄｕｔｙ比カーブａ、ｂ、ｃのいずれか一つに切り替えるための信号」は、データ和／最大値に対応するＤｕｔｙ比の出力モードを切り替えるための信号であるといえる。
　よって、引用発明の「Ｄｕｔｙ比カーブａ、ｂ、ｃのいずれか一つに切り替えるための信号」は、本願発明の「あらかじめ設定された少なくとも二つのモード値」の中の「いずれか一つ」に相当する。
　また、上記（５）アによれば、引用発明の「外光の明るさ」は、本願発明の「周辺光の強さ」に相当する。
　
　したがって、引用発明の「前記外光の明るさを検出して、前記Ｄｕｔｙ比カーブａ、ｂ、ｃのいずれか一つに切り替えるための信号を出力するホトセンサ」は、本願発明の「前記周辺光の強さを感知してあらかじめ設定された少なくとも二つのモード値の中でいずれか一つを伝送するフォトセンサー」に相当する。
　
　また、本願発明の「フォトセンサー」は、「輝度制御部」が有する「第２輝度制限部」が有するものであるから、つまるところ、本願発明の「フォトセンサー」も「輝度制御部」が有するものである。
　そして、上記（４）によれば、引用発明の「演算処理回路８３９」は、本願発明の「輝度演算部」に相当する。
　したがって、引用発明の「演算処理回路８３９」が「ホトセンサー」を有することは、本願発明の「輝度制御部」が「フォトセンサー」を有することに相当する。
　
（９）
　したがって、本願発明と引用発明の両者は、 
「データ線にデータ信号を供給するデータ駆動部と；
　走査線に走査信号を順次供給し，発光制御線に発光制御信号を順次供給する走査駆動部と；
　前記データ信号，前記走査信号及び前記発光制御信号の供給を受けて映像を表現する複数の画素を具備する画素部と；
　前記画素部の輝度を制御する輝度制御部と；
を備え，
　前記輝度制御部は，
　１フレーム分のデータの大きさと周辺光の強さに応じて生成された第２発光制御信号の幅に対応して輝度制御信号を生成し，前記輝度制御信号を前記走査駆動部に伝送するものであって，
　前記輝度制御部は，
　前記１フレーム分のデータを合算した合算データに基づく値を生成して、その後の処理に利用する回路部分と；
　前記１フレーム分のデータを合算した合算データに基づく値に対応する、第２発光制御信号の幅に応じたパラメータを保存するルックアップテーブルと；
　前記周辺光の強さを感知してあらかじめ設定された少なくとも二つのモード値の中でいずれか一つを伝送するフォトセンサーとを有する有機発光表示装置。」の点で一致し、以下の点で相違する。 
　
［相違点１］
　１フレーム分のデータの大きさと周辺光の強さに応じて生成された第２発光制御信号の幅に対応して輝度制御信号を生成する処理に関し、本願発明では、「一フレーム分のデータの大きさによって第１発光制御信号の幅を生成する第１輝度制限部と；前記周辺光の強さによって前記第１発光制御信号の幅を制御して第２発光制御信号の幅を生成する第２輝度制限部と；・・・；を有し」とあるように、一フレーム分のデータの大きさに対応する第１発光制御信号の幅を生成した後に、周辺光の強さによって第１発光制御信号の幅を制御して第２発光制御信号の幅を生成するのに対し、引用発明では外光の明るさによって切り替えられたＤｕｔｙ比カーブａ、ｂ、ｃのいずれか一つにしたがって、データ和／最大値に対応するＤｕｔｙ比が出力される点。
　また、これに派生して、ルックアップテーブルを使用して第２発光制御信号の幅を生成する具体的構成に関し、本願発明では、「前記制御データの値に対応する前記第１発光制御信号の幅を保存する第１ルックアップテーブルと；前記データ合算部から伝送された制御データの値に対応する前記第１発光制御信号の幅を前記第１ルックアップテーブルから抽出し，前記第２輝度制限部に伝送する第１制御部と；を有し・・・前記モード値に対応する変動値を保存する第２ルックアップテーブルと；前記フォトセンサーから伝送されたモード値に対応する前記変動値を前記第２ルックアップテーブルから抽出し，前記第１発光制御信号の幅と前記変動値を利用して前記第２発光制御信号の幅を生成して前記輝度制御信号生成部に伝送する第２制御部と；を有し，前記第２ルックアップテーブルは，前記変動値として１以下の小数値を保存し，前記第２制御部は，前記第１発光制御信号の幅と前記変動値を乗算して前記第２発光制御信号の幅を生成する」とあるように、第１、第２の２つのルックアップテーブルのそれぞれに、第１の発光制御信号の幅と、１以下の小数値である変動値が記憶され、１フレーム分のデータを合算した合算データに基づく値（制御データ）に応じた第１の発光制御信号の幅と、周辺光の強さに応じた変動値を乗算して第２発光制御信号の幅を生成する構成であるのに対し、引用発明では、ルックアップテーブルであるＤｕｔｙ比カーブａ、ｂ、ｃに、第２発光制御信号の幅そのものであるＤｕｔｙ比が記憶され、外光の明るさに対応するＤｕｔｙ比カーブから、１フレーム分のデータを合算した合算データに基づく値（データ和／最大値）に応じたＤｕｔｙ比を出力する構成である点。
　
［相違点２］
　発光制御信号の幅を格納したルックアップテーブルをアドレスするデータに関し、本願発明では、「一フレーム分のデータを合算して合算データを生成し，前記合算データの最上位ビットを含む少なくとも二つのビット値を制御データとして伝送するデータ合算部と；前記制御データの値に対応する前記第１発光制御信号の幅を保存する第１ルックアップテーブルと；・・・：を有し」とあるように、「合算データの最上位ビットを含む少なくとも二つのビット値」である「制御データ」であるのに対し、引用発明ではそのような発明特定事項が特定されていない点。
　
６．判断
　上記相違点について検討する。
　
相違点１について
　「フラットパネル表示装置の駆動制御」の技術分野において、入力される画像データの特徴量と周辺光の強さに応じて画面全体の輝度を制御するにあたり、「入力される画像データの特徴量に応じて導かれるパラメータを生成した後に、周辺光の強さに応じて決定されるパラメータによって該導かれたパラメータを補正することにより、最終的に画面全体の輝度を制御するパラメータを生成する」ことは、
　例えば、特開２００４−３５４８８２号公報の、特に、段落【００２７】〜【００３２】、【００４０】〜【００４６】、図３、図１０〜１２に、入力される映像信号のヒストグラムの解析結果に応じて光源の光量Ｔ０を仮設定した後に、環境光量信号に応じてＬＵＴから出力される最大減光量Ｒｍと、前記光量Ｔ０を用いて、実際の光源制御に用いられる光量Ｔを設定することが記載されているように、
周知技術である。
　
　また、「フラットパネル表示装置の駆動制御」の技術分野において、周辺光の強さに応じて画面全体の輝度を補正する具体的処理として、「周辺光の強さに応じて複数のモードの一つを選択し、選択されたモードに応じて変動値を出力し、出力された変動値をもともとの画面輝度制御信号に乗算して、新たな画面輝度制御信号を生成する」ことは、
　例えば、特開２００３−２５５９０１号公報の、特に、段落【００７５】〜【００７９】、図１０に、周辺の明るさが暗い場合には、全体輝度制御信号W_Gainを小さくし、周辺の明るさが明るい場合には、全体輝度制御信号W_Gainを大きくし、該全体輝度制御信号W_Gainをゲイン算出回路１４によって算出されたゲインに対して乗算することが記載されているように、
周知・慣用の技術（以下、「周知・慣用の技術１」という。）である。
　
　よって、引用発明において、外光の明るさ（本願発明の「周辺光の強さ」に対応する。以下同様。）によって切り替えられたＤｕｔｙ比カーブａ、ｂ、ｃのいずれか一つにしたがって、データ和／最大値（「合算データ」）に対応するＤｕｔｙ比（「第２発光制御信号の幅」）が出力されることにより、１つのデータ和／最大値に対して、外光の明るさに応じて、異なるＤｕｔｙ比を出力しているところ、各値をＤｕｔｙ比に反映させる具体的構成として、上記周知技術を適用して、データ和／最大値（「合算データ」）に基づいてパラメータ（「第１発光制御信号の幅」）を生成した後に、外光の明るさ（「周辺光の強さ」）に応じて該パラメータ（「第１発光制御信号の幅」）を補正して、異なるＤｕｔｙ比（「第２発光制御信号の幅」）を生成することは、当業者が容易になし得たことである。
　ここで、引用刊行物の図１９７から明らかなように、引用発明において、１つのデータ和／最大値に対する、外光の明るさに応じた異なるＤｕｔｙ比は、外光の明るさが大きい屋外用のＤｕｔｙ比カーブａの時に最も大きく、外光の明るさが小さい屋内用のＤｕｔｙ比カーブｃの時に最も小さくなっているものであるから、引用発明における外光の明るさに応じた輝度制御の傾向は、周知・慣用の技術１における周辺光の強さに応じた輝度制御の傾向と同様のものである。
　したがって、引用発明に上記周知技術を適用した後の、外光の明るさ（「周辺光の強さ」）に応じて該パラメータ（「第１発光制御信号の幅」）を補正する具体的処理として、引用発明と同様の輝度制御を行う周知・慣用の技術１を採用し、外光の明るさ（「周辺光の強さ」）に応じて複数のモードの一つを選択し（「モード値の中のいずれか一つを伝送する」）、モードごとの変動値を保存するルックアップテーブル（「モード値に対応する変動値を保存する第２ルックアップテーブル」）を設け、選択されたモードに応じた変動値を出力し（「モード値に対応する変動値を抽出する」）、出力された変動値（「変動値」）をもともとの画面輝度制御信号（「第１発光制御信号の幅」）に乗算して、新たな画面輝度制御信号（「第２発光制御信号の幅」）を生成することは、当業者が適宜なし得る設計変更に過ぎない。
　そして、この際、引用発明において、Ｄｕｔｙ比カーブに保存されるデータである、補正されるべきパラメータ（「第１発光制御信号の幅」）として、Ｄｕｔｙ比カーブａ、ｂ、ｃのいずれを選択しても良いところ、外光の明るさが大きい屋外用のＤｕｔｙ比カーブａを選択した場合、上記変動値（「変動値」）は、Ｄｕｔｙ比カーブａのＤｕｔｙ比以下のＤｕｔｙ比カーブａ、ｂ、ｃのＤｕｔｙ比を算出するための値となるから、１以下の値（「１以下の小数値」）となる。
　
　したがって、上記相違点１に係る本願発明の発明特定事項は、当業者が引用発明並びに上記周知技術及び周知・慣用の技術１に基づいて容易に想到し得たことである。
　
相違点２について
　「フラットパネル表示装置の駆動制御」の技術分野において、１フレーム分の映像データの合算値に応じた制御を行うにあたり、「１フレーム分の映像データを合算した合算データの最上位ビットを含む少なくとも２ビットの上位ビットを制御データとする」ことは、
　例えば、特開２００１−１８４０１６号公報の、特に、段落【００４３】〜【００４５】、図１、２に、１垂直期間の入力輝度信号を積分した信号の上位６ビットを、ガンマテーブルを選択するためのアドレスとして使用することが記載されているように、
周知・慣用の技術（以下、「周知・慣用の技術２」という。）である。 
　
　また、引用刊行物の上記記載事項５には、「【１２１３】なお、画像データの総和を求めるとしたが、これに限定するものではない。たとえば、画像データの１フレームの平均レベル（当審注：１フレーム分の画像データの総和を１フレーム分の画素数で割ったもの）を求めてこれを用いてもよい。アナログ信号であれば、アナログ画像信号をコンデンサによりフィルタリングすることにより平均レベルを得ることができる。アナログの映像信号に対しフィルタを介して直流レベルを抽出し、この直流レベルをＡＤ変換して画像データの総和（当審注：アナログの画像データである映像信号の時間平均をデジタル化した値）としてもよい。この場合は、画像データはＡＰＬレベルとも言うことができる。」なる記載があり、引用刊行物には、１フレー分の画像データの総和（データ和）に基づく値として、様々な態様のものが使用され得ることが示唆されている。
　
　よって、引用発明において、データ和／最大値（「合算データ」）に基づいて、Ｄｕｔｙ比カーブ（「第１ルックアップテーブル」）をアドレスしているところ、１フレー部分の画像データの総和に基づく値として、周知・慣用の技術２を適用して、データ和／最大値（「合算データ」）の最上位ビットを含む少なくとも２ビットの上位ビットによって、Ｄｕｔｙ比カーブ（「第１ルックアップテーブル」）をアドレスすることは、当業者が容易になし得たことである。
　したがって、上記相違点２に係る本願発明の発明特定事項は、当業者が引用発明及び周知・慣用の技術２に基づいて容易に想到し得たことである。 
　
　そして、本願発明によってもたらされる効果は、引用発明並びに上記周知技術及び周知・慣用の技術１、２から想定することができない格別のものと認めることもできない。 
　
　なお、引用発明の「Ｄｕｔｙ比カーブ」が、上記「４．（２−７）」で認定したような、入力された値に応じた値を出力するルックアップテーブルではなく、入力された値に応じた値を出力する関数であったとしても、かかる関数によって行う動作を、同等の機能を有するルックアップテーブルによって行うことは、当業者が適宜なし得る設計変更に過ぎない。
　
　したがって、本願発明は、引用発明並びに上記周知技術及び周知・慣用の技術１、２に基づいて当業者が容易に発明をすることができたものである。 
７．むすび
　したがって、本願発明は、引用発明並びに上記周知技術及び周知・慣用の技術１、２に基づいて当業者が容易に発明をすることができたものであるから、特許法第２９条第２項の規定により特許を受けることができない。
　以上のとおりであるから、他の請求項に係る発明について判断するまでもなく、本願は拒絶すべきものである。
　
　よって、結論のとおり審決する。